(57)【要約】【課題】２位相発振器を用いることなく、簡単な構成で、クロック周期以内の時間を測定することができるパルス間隔測定装置を得る。【解決手段】被測定パルスのスタートパルスとストップパルスとの間のクロック数をカウンタ７によりカウントし、スタートパルスから次のクロックまでの時間の測定を、積分回路２とこの積分回路２の出力電圧をディジタル値に変換するＡ／Ｄ変換器４により行い、ストップパルスから次のクロックまでの時間の測定を、積分回路３とこの積分回路３の出力電圧をディジタル値に変換するＡ／Ｄ変換器５により行い、カウンタ７の出力及びＡ／Ｄ変換器４、５の出力を演算回路８に入力して、スタートパルスとストップパルス間の時間を測定する。【選択図】        図１
2004184296.tif 000002
【特許請求の範囲】
【請求項１】
クロックを用いて被測定パルスの間隔を測定するパルス間隔測定装置において、上記被測定パルスの第一のパルスと第二のパルスとの間のクロック数をカウントする第一のカウンタ、上記被測定パルスの第一のパルスから上記第一のパルス以後の所定のクロックまでの時間を測定する第一の測定手段、上記第一のパルスの次の被測定パルスである第二のパルスから上記第二のパルス以後の所定のクロックまでの時間を測定する第二の測定手段、及び上記第一のカウンタによってカウントされるクロック数と第一の測定手段及び第二の測定手段によって測定された時間とにより上記第一のパルスと第二のパルスとの間隔時間を演算する演算回路を備え、
上記第一の測定手段は、上記第一のパルスの入力によって積分を開始し、上記第一のパルス以後の所定のクロックまでを積分する第一の積分回路と、この第一の積分回路の出力電圧をディジタル値に変換する第一のＡ／Ｄ変換器とによって構成され、
上記第二の測定手段は、上記第二のパルスの入力によって積分を開始し、上記第二のパルス以後の所定のクロックまでを積分する第二の積分回路と、この第二の積分回路の出力電圧をディジタル値に変換する第二のＡ／Ｄ変換器とによって構成されていることを特徴とするパルス間隔測定装置。
【請求項２】
上記第一の積分回路の出力側に第一のホールド回路を設けると共に、上記第二の積分回路の出力側に第二のホールド回路を設けたことを特徴とする請求項１記載のパルス間隔測定装置。
【請求項３】
上記積分回路近傍の温度を検出する温度検出回路を備え、上記温度検出回路の出力によってＡ／Ｄ変換器の出力が補正されることを特徴とする請求項１または請求項２記載のパルス間隔測定装置。
【請求項４】
クロック間隔を上記第一の積分回路によって積分し、上記第一の積分回路の出力電圧が上記第一のＡ／Ｄ変換器によって変換された上記クロック間隔のディジタル値を用いて、上記第一のＡ／Ｄ変換器の出力が補正されると共に、上記クロック間隔を上記第二の積分回路によって積分し、上記第二の積分回路の出力電圧が上記第二のＡ／Ｄ変換器によって変換された上記クロック間隔のディジタル値を用いて、上記第二のＡ／Ｄ変換器の出力が補正されることを特徴とする請求項１または請求項２記載のパルス間隔測定装置。
【請求項５】
上記所定のクロックは、ｎ（ｎは、ｎ＞２の整数）番目のクロックであり、上記第一のＡ／Ｄ変換器によって変換されたディジタル値に含まれるクロック間隔分のディジタル値を用いて、上記第一のＡ／Ｄ変換器の出力が補正されると共に、上記第二のＡ／Ｄ変換器によって変換されたディジタル値に含まれるクロック間隔分のディジタル値を用いて、上記第二のＡ／Ｄ変換器の出力が補正されることを特徴とする請求項１または請求項２記載のパルス間隔測定装置。
【請求項６】
上記被測定パルスの第二のパルスから次の被測定パルスである第三のパルスまでのクロック数をカウントする第二のカウンタを備え、上記第一の測定手段は、上記第一のパルス以後の所定のクロックまでの時間を測定後、第三のパルス以後の所定のクロックまでの時間を測定するように切換えられ、上記演算回路は、上記第二のカウンタによってカウントされたクロック数と上記第一の測定手段によって測定された第三のパルス以後の所定のクロックまでの時間及び上記第二の測定手段によって測定された時間を用いて、上記第二のパルスから第三のパルスまでの間隔時間を演算することを特徴とする請求項１〜請求項５のいずれかに記載のパルス間隔測定装置。
【発明の詳細な説明】
【０００１】
【発明の属する技術分野】
この発明は、パルス間隔を測定するパルス間隔測定装置に関するものである。
【０００２】
【従来の技術】
従来のパルス間隔測定装置においては、クロック信号に同期した２位相発振器を用い、２位相発振器の信号の振幅をディジタル値に変換してクロック周期より短い時間を測定している（例えば、特許文献１参照）。
【０００３】
【特許文献１】
特開平４−２４４９７１号公報（第３〜４頁、図１）
【０００４】
【発明が解決しようとする課題】
従来のパルス間隔測定装置は、２位相発振器がスタートクロックの同期をとらなければならず、高精度の同期回路と高精度の波形発生器が必要であり、構成が複雑になるという問題がある。
また、パルス間隔が短くなった場合に、部品構成の多さから各部品の遅延時間の制約による影響を大きく受ける問題点があった。
【０００５】
この発明は、上記のような問題点を解決するためになされたものであり、２位相発振器を用いることなく、簡単な構成で、クロック周期以内の時間を測定することができるパルス間隔測定装置を得ることを目的とする。
【０００６】
【課題を解決するための手段】
この発明に係わるパルス間隔測定装置においては、クロックを用いて被測定パルスの間隔を測定するパルス間隔測定装置において、被測定パルスの第一のパルスと第二のパルスとの間のクロック数をカウントする第一のカウンタ、被測定パルスの第一のパルスから第一のパルス以後の所定のクロックまでの時間を測定する第一の測定手段、第一のパルスの次の被測定パルスである第二のパルスから第二のパルス以後の所定のクロックまでの時間を測定する第二の測定手段、及び第一のカウンタによってカウントされるクロック数と第一の測定手段及び第二の測定手段によって測定された時間とにより第一のパルスと第二のパルスとの間隔時間を演算する演算回路を備え、
第一の測定手段は、第一のパルスの入力によって積分を開始し、第一のパルス以後の所定のクロックまでを積分する第一の積分回路と、この第一の積分回路の出力電圧をディジタル値に変換する第一のＡ／Ｄ変換器とによって構成され、
第二の測定手段は、第二のパルスの入力によって積分を開始し、第二のパルス以後の所定のクロックまでを積分する第二の積分回路と、この第二の積分回路の出力電圧をディジタル値に変換する第二のＡ／Ｄ変換器とによって構成されているものである。
【０００７】
【発明の実施の形態】
実施の形態１．
以下、この発明の実施の形態１を図に基づいて説明する。
図１は、この発明の実施の形態１によるパルス間隔測定装置を示す回路構成図である。
図１において、クロック回路１は、クロック信号を発生する。積分回路ａ２（第一の積分回路）は、スタートパルスＰ１（第一のパルス）で積分を開始し、積分回路ｂ３（第二の積分回路）は、ストップパルスＰ２（第二のパルス）で積分を開始する。Ａ／Ｄ変換器ａ４（第一のＡ／Ｄ変換器）は、積分回路ａ２の出力電圧をディジタルに変換し、Ａ／Ｄ変換器ｂ５（第二のＡ／Ｄ変換器）は、積分回路ｂ３の出力電圧をディジタルに変換する。第一の積分回路と第一のＡ／Ｄ変換器は、第一の測定手段を構成し、第二の積分回路と第二のＡ／Ｄ変換器は、第二の測定手段を構成している。
コントロール回路６は、クロック信号、スタートパルスＰ１、ストップパルスＰ２の入力と、Ａ／Ｄ変換器４、５の動作時間（既知）から、積分回路２、３のスタート、ストップ信号の生成及びカウンタ７のカウントスタート、カウントストップの信号を生成する。カウンタ７（第一のカウンタ）は、クロック信号をカウントする。演算回路８は、カウンタ７のカウンタ値と、Ａ／Ｄ変換器４、５の出力値が入力され、スタートパルスＰ１とストップパルスＰ２間（被測定パルス）のパルス間隔を算出する。
図２は、この発明の実施の形態１によるパルス間隔測定装置の動作を示すタイミングチャートである。
【０００８】
次に、動作について説明する。
スタートパルスＰ１が入力されると、コントロール回路６で、カウンタ７にスタート信号を送り、カウンタ７にクロックの読み込みを開始するカウンタゲート開信号と、積分回路ａ２に積分を開始する積分開始信号を送る。
積分回路ａ２、ｂ３は、簡易な回路で良く、例えば、定電流ダイオードと、コンデンサと、このコンデンサの充電、放電を行う半導体スイッチとで構成されている。積分開始信号は、コンデンサの充電を行う半導体スイッチを動作させ、コンデンサの充電を行う。積分回路２、３の時定数は、クロック間隔（Ｔ０時間）時間内に飽和しない値に設定することで、クロック間隔時間内の補正を確実に行うことができる。
積分回路ａ２の積分開始信号は、スタートパルスＰ１入力時とし、積分停止信号は、スタートパルスＰ１入力後の次のクロック（所定のクロック）が発生した時とし、積分回路ａ２の出力には時間に比例した電圧が発生する。Ａ／Ｄ変換器ａ４は、積分停止信号により変換を開始し、積分回路ａ２の出力電圧を読み込む。積分回路ａ２の出力電圧は、スタートパルスＰ１入力からクロック入力までの時間に比例しており、この時間をＴ１とする。コントロール回路６は、Ａ／Ｄ変換器ａ４の変換完了後に積分回路ａ２の積分回路を初期状態にする初期状態信号を送り、初期の状態に戻す。
【０００９】
ストップパルスＰ２が入力されると、コントロール回路６で、カウンタ７にストップ信号を送り、カウンタ７にクロックの読み込みを停止するカウンタゲート閉信号と、積分回路ｂ３に積分を開始する積分開始信号を送る。
積分回路ｂ３の積分開始信号は、ストップパルスＰ２入力時とし、積分停止信号は、ストップパルスＰ２入力後の次のクロック（所定のクロック）が発生した時とし、積分回路ｂ３の出力には時間に比例した電圧が発生する。Ａ／Ｄ変換器ｂ５は、積分停止信号により変換を開始し、積分回路の出力電圧を読み込む。積分回路ｂ３の出力電圧は、ストップパルスＰ２入力からクロック入力までの時間に比例しており、この時間をＴ２とする。コントロール回路６は、Ａ／Ｄ変換器ｂ５の変換完了後に積分回路ｂ３の積分回路を初期状態にする初期状態信号を送り、初期の状態に戻す。
【００１０】
スタートパルスＰ１とストップパルスＰ２間の時間Ｔは、演算回路８で求める。スタートパルスＰ１からスタートパルスＰ１の次に入力されるクロックとの時間は、Ａ／Ｄ変換器ａ４の出力値で、Ｔ１時間とする。ストップパルスＰ２とストップパルスＰ２の次に入力されるクロックとの時間は、Ａ／Ｄ変換器ｂ５の出力値で、Ｔ２時間とする。スタートパルスＰ１の次のクロックからストップパルスＰ２の前のクロックまでの時間ＴＣは、カウンタ値ｎとクロック間隔時間Ｔ０との積Ｔ０×ｎで決まる。したがって、スタートパルスＰ１からストップパルスＰ２までの時間Ｔは、Ｔ＝Ｔ１＋（Ｔ０−Ｔ２）＋ＴＣで求まる。これにより、クロック周期以内の時間を計測することができる。
【００１１】
実施の形態１によれば、このように、スタートパルスＰ１と同期をとった２位相発振器のような複雑な回路なしに、簡易な積分回路を用いて、クロック周期以内の時間を計測するパルス間隔測定装置を安価に構成できる効果がある。
【００１２】
実施の形態２．
実施の形態１では、積分回路の出力電圧が、コンデンサの自己放電、半導体スイッチのリーク電流及び次段のＡ／Ｄ変換器の入力抵抗により徐々に低下するため、この低下を無視できる高速のＡ／Ｄ変換器を使用する必要があるという欠点がある。実施の形態２は、これに対応するものである。
図３は、この発明の実施の形態２によるパルス間隔測定装置を示す回路構成図である。
図３において、１〜８は図１におけるものと同一のものである。積分回路の出力電圧の低下を抑制するために、積分回路ａ２の出力側にホールド回路ａ９（第一のホールド回路）を、積分回路ｂ３の出力側にホールド回路ｂ１０（第二のホールド回路）を設ける。
図４は、この発明の実施の形態２によるパルス間隔測定装置の動作を示すタイミングチャートである。
図４にみられるように、ホールド回路９、１０により、積分回路２、３の出力電圧の低下を防いでいる。
【００１３】
実施の形態２によれば、ホールド回路ａ、ｂを設けることで積分回路の出力電圧が低下せず、低速のＡ／Ｄ変換器で高精度の時間が測定できる効果がある。
【００１４】
実施の形態３．
安価な積分回路は、一般的にコンデンサを使用しており、周囲温度に対する静電容量の変化が大きく、積分回路の時定数が変化することから温度によって同一時間が同一出力電圧とならないという欠点がある。実施の形態３は、これに対応するものである。
図５は、この発明の実施の形態３によるパルス間隔測定装置を示す回路構成図である。
図５において、１〜８は図１におけるものと同一のものである。図５では、積分回路の温度変化を抑制するために温度検出回路１１を積分回路の温度影響を大きく受ける素子の近傍に設ける。
実施の形態３のタイミングチャートは、図２と同じである。
【００１５】
温度検出回路１１の出力は、演算回路８に入力し、Ａ／Ｄ変換器ａ４の測定時間Ｔ１及びＡ／Ｄ変換器ｂ５の測定時間Ｔ２の値を、予め求めた温度に対する関数により温度係数を乗じた値を求め、測定時間Ｔ１の温度補正後の時間Ｔ１’、測定時間Ｔ２の温度補正時間Ｔ２’とする。
スタートパルスＰ１からストップパルスＰ２間での時間Ｔは、
Ｔ＝Ｔ１’＋（Ｔ０−Ｔ２’）＋ＴＣで求まる。
【００１６】
実施の形態３によれば、温度検出回路を設け、積分回路の温度補正を行うことで、温度変化に対し高精度の時間が測定できる効果がある。
【００１７】
実施の形態４．
実施の形態３では、温度測定回路を使用して温度変化の影響を受けやすい積分回路の補正を行っているが、積分回路は、温度以外にも経時変化の影響も受けやすい。実施の形態４は、これに対応するものである。
実施の形態４の回路構成は、図１と同じである。
図６は、この発明の実施の形態４によるパルス間隔測定装置の動作を示すタイミングチャートである。
実施の形態４では、時間が正確なクロックの間隔時間で積分回路の出力電圧をＡ／Ｄ変換し、積分回路の出力電圧から求められる時間を補正する補正係数を求める。
Ｔ１時間の積分回路の出力電圧をＡ／Ｄ変換した時間をＴ１’、Ｔ０時間の積分回路の出力電圧をＡ／Ｄ変換した時間をＴ０’とすると、補正係数は、（Ｔ０／Ｔ０’）×Ｔ１’で求められる。Ｔ２時間についても同様に補正係数を求めることができる。
【００１８】
実施の形態４によれば、スタートパルスＰ１及びストップパルスＰ２入力毎にＡ／Ｄ変換器を含めた積分回路の校正を行うため、温度変化、経時変化等による計測時間への影響を排除でき高精度の時間が計測できる効果がある。
【００１９】
実施の形態５．
実施の形態４では、スタートパルスＰ１による積分と校正用の積分を個別に行っており、積分スタート時の半導体スイッチ等による特性の変化により誤差を生じる欠点がある。実施の形態５は、これに対応するものである。
実施の形態５の回路構成は、図１と同じである。
図７は、この発明の実施の形態５によるパルス間隔測定装置の動作を示すタイミングチャートである。
積分回路の時定数を、クロック間隔時間の２倍以上で飽和しない値に設定することで補正を行うことができる。
図７のタイミングチャートで以下に動作を説明する。
【００２０】
実施の形態５では、積分回路の時定数をＴ０×３の値で飽和しないようにしている。
スタートパルスＰ１が入力されるとカウンタ７のカウントを開始するためのカウンタゲートを開とし、カウントできる状態にする。さらに、積分回路ａ２の積分を開始する。スタートパルスＰ１が入力された後の２番目のクロックで、積分回路ａ２の出力電圧をＡ／Ｄ変換器ａ４で読み込み、時間Ｔ１＿１とし、３番目のクロック（所定のクロック）で積分回路の停止と積分回路の出力電圧をＡ／Ｄ変換器ａ４で読み込み、時間Ｔ１＿２とする。
ストップパルスＰ２についても、スタートパルス１と同様にＡ／Ｄ変換器ｂ５で読み込み、時間Ｔ２＿１、Ｔ２＿２を計測する。
【００２１】
積分回路で計測した時間と、カウンタ７のカウント値からパルス間隔の時間を次のように求める。
カウンタ７のカウント値は、積分回路の積分時間分のカウント値が含まれており、スタートパルスＰ１から２カウント、ストップパルスＰ２から２カウントは減算する必要があり、カウント値をｎとすると、カウンタ値の時間ＴＣ＝（ｎ−４）×Ｔ０時間となる。
積分回路ａ２で求める時間Ｔ１は、積分開始のスタートパルスＰ１から積分停止の３番目のクロックまでの時間で、Ｔ０時間がＴ１＿２−Ｔ１＿１より、
Ｔ１＝（（Ｔ０／（Ｔ１＿２−Ｔ１＿１））×Ｔ１＿２
で求められる。
積分回路ｂ３で求める時間Ｔ２は、積分開始のスタートパルスＰ２から積分停止の３番目のクロック（所定のクロック）までの時間で、Ｔ０時間がＴ２＿２−Ｔ２＿１より、
Ｔ２＝（（Ｔ０／（Ｔ２＿２−Ｔ２＿１））×Ｔ２＿２
で求められる。
スタートパルスＰ１からストップパルスＰ２までの時間Ｔは、
Ｔ＝Ｔ１＋（Ｔ０×３−Ｔ２）＋ＴＣで求まる。
【００２２】
実施の形態５によれば、このように、積分回路の動作中に同時に構成できることから、回路の特性のばらつきによる誤差が校正でき、高精度に測定できる効果がある。
【００２３】
実施の形態６．
実施の形態１〜５は、パルス入力が連続して入力される場合に、それぞれのパルス間隔を測定できない欠点がある。実施の形態６は、これに対応するものである。
図８は、この発明の実施の形態６によるパルス間隔測定装置を示す回路構成図である。
図８において、１〜６、８は図１におけるものと同一のものである。図８では、カウンタａ７（第一のカウンタ）とカウンタｂ１２（第二のカウンタ）との二つのカウンタを設け、パルス間隔を連続して測定することができるようにした。
図９は、この発明の実施の形態６によるパルス間隔測定装置の動作を示すタイミングチャートである。
【００２４】
次に、動作について説明する。
スタートパルスＰ１（第一のパルス）が入力されると、コントロール回路６で、カウンタａ７にクロックの読み込みを開始するカウンタゲート開信号、カウンタｂ１２にクロックの読み込みを停止するカウンタゲート閉信号、さらに積分回路ａ２に積分を開始する積分開始信号を送る。
積分回路ａ２の積分開始信号は、スタートパルスＰ１入力時に、積分停止信号は、スタートパルスＰ１の次のクロックが発生した時に停止し、積分回路ａ２の出力には時間に比例した電圧が発生している。Ａ／Ｄ変換器ａ４は、積分停止信号により変換を開始し、積分回路ａ２の出力電圧を読み込む。積分回路ａ２の出力電圧は、スタートパルスＰ１入力からクロック入力までの時間に比例しており、この時間をＴ１とする。コントロール回路６は、Ａ／Ｄ変換器ａ４の変換完了後に積分回路ａ２を初期状態にする初期状態信号を送り、初期の状態に戻す。
【００２５】
ストップパルスＰ２（第二のパルス）が入力されると、コントロール回路６で、カウンタａ７にクロックの読み込みを停止するカウンタゲート閉信号、カウンタｂ１２にクロックの読み込みを開始するカウンタゲート開信号、さらに積分回路ｂ３に積分を開始する積分開始信号を送る。積分回路ｂ３の積分開始信号は、ストップパルスＰ２入力時に、積分停止信号は、ストップパルスＰ２入力後の次のクロックが発生した時とし、積分回路ｂ３の出力には時間に比例した電圧が発生している。Ａ／Ｄ変換器ｂ５は、積分停止信号により変換を開始し、積分回路ｂ３の出力電圧を読み込む。積分回路ｂ３の出力電圧は、ストップパルスＰ２入力からクロック入力までの時間に比例しており、この時間をＴ２とする。コントロール回路６は、Ａ／Ｄ変換器ｂ５の変換完了後に、積分回路ｂ３を初期状態にする初期状態信号を送り、初期の状態に戻す。
【００２６】
次にスタートパルスＰ１（第三のパルス）が入力されると、上述と同じ動作でＡ／Ｄ変換器ａ４の出力値より、時間をＴ３とする。
スタートパルスＰ１とストップパルスＰ２間の時間Ｔは、演算回路８で求める。スタートパルスＰ１からスタートパルスＰ１の次に入力されるクロックとの時間は、Ａ／Ｄ変換器ａ４の出力値で、Ｔ１時間とする。ストップパルスＰ２とストップパルスＰ２の次に入力されるクロックとの時間は、Ａ／Ｄ変換器ｂの出力値で、Ｔ２時間とする。スタートパルスＰ１の次のクロックからストップパルスＰ２の前のクロックまでの時間ＴＣは、カウンタ値ｎとクロック間隔時間Ｔ０より、ＴＣ＝Ｔ０×ｎで求まる。
スタートパルスＰ１からストップパルスＰ２までの時間Ｔは、
Ｔ＝Ｔ１＋（Ｔ０−Ｔ２）＋ＴＣで求まる。
同様に、ストップパルスＰ２からスタートパルスＰ１までに時間Ｔは、
Ｔ＝Ｔ２＋（Ｔ０−Ｔ３）＋ＴＣで求まる。
【００２７】
実施の形態６によれば、これにより、スタートパルスＰ１とストップパルスＰ２が切り返し入力された場合にそれぞれのパルス間隔時間を連続して計測することができる効果がある。
【００２８】
【発明の効果】
この発明は、以上説明したように、クロックを用いて被測定パルスの間隔を測定するパルス間隔測定装置において、被測定パルスの第一のパルスと第二のパルスとの間のクロック数をカウントする第一のカウンタ、被測定パルスの第一のパルスから第一のパルス以後の所定のクロックまでの時間を測定する第一の測定手段、第一のパルスの次の被測定パルスである第二のパルスから第二のパルス以後の所定のクロックまでの時間を測定する第二の測定手段、及び第一のカウンタによってカウントされるクロック数と第一の測定手段及び第二の測定手段によって測定された時間とにより第一のパルスと第二のパルスとの間隔時間を演算する演算回路を備え、
第一の測定手段は、第一のパルスの入力によって積分を開始し、第一のパルス以後の所定のクロックまでを積分する第一の積分回路と、この第一の積分回路の出力電圧をディジタル値に変換する第一のＡ／Ｄ変換器とによって構成され、
第二の測定手段は、第二のパルスの入力によって積分を開始し、第二のパルス以後の所定のクロックまでを積分する第二の積分回路と、この第二の積分回路の出力電圧をディジタル値に変換する第二のＡ／Ｄ変換器とによって構成されているので、簡易な積分回路を用いて、クロック周期以内の時間を測定することができる。
【図面の簡単な説明】
【図１】この発明の実施の形態１によるパルス間隔測定装置を示す回路構成図である。
【図２】この発明の実施の形態１によるパルス間隔測定装置の動作を示すタイミングチャートである。
【図３】この発明の実施の形態２によるパルス間隔測定装置を示す回路構成図である。
【図４】この発明の実施の形態２によるパルス間隔測定装置の動作を示すタイミングチャートである。
【図５】この発明の実施の形態３によるパルス間隔測定装置を示す回路構成図である。
【図６】この発明の実施の形態４によるパルス間隔測定装置の動作を示すタイミングチャートである。
【図７】この発明の実施の形態５によるパルス間隔測定装置の動作を示すタイミングチャートである。
【図８】この発明の実施の形態６によるパルス間隔測定装置を示す回路構成図である。
【図９】この発明の実施の形態６によるパルス間隔測定装置の動作を示すタイミングチャートである。
【符号の説明】
１  クロック回路、２  積分回路ａ、３  積分回路ｂ、４  Ａ／Ｄ変換器ａ、
５  Ａ／Ｄ変換器ｂ、６  コントロール回路、７  カウンタまたはカウンタａ、
８  演算回路、９  ホールド回路ａ、１０  ホールド回路ｂ、
１１  温度検出回路、１２  カウンタｂ。
【図１】
2004184296.tif 000003
【図２】
2004184296.tif 000004
【図３】
2004184296.tif 000005
【図４】
2004184296.tif 000006
【図５】
2004184296.tif 000007
【図６】
2004184296.tif 000008
【図７】
2004184296.tif 000009
【図８】
2004184296.tif 000010
【図９】
2004184296.tif 000011